(57)【要約】【課題】建物の高さを抑えつつ、上階と下階との双方に収納空間を設けることができる建物を提供する。【解決手段】  上階中間床２４と上階床２２との間にある上階収納空間２５の天井高と、下階中間床４と下階床２との間にある下階収納空間５の天井高とが異なっており、下階中間床４上に設けられた部屋１５の天井床１５ａと、前記上階中間床２４とが段差なく連続しているので、上階収納空間２５と下階収納空間５とのうちの一方の収納空間５の天井高を高く設定し、他方の収納空間２５の天井高を低く設定することができるとともに、天井床１５ａと上階中間床２４の位置を低く抑えることができる。したがって、その分建物の高さを抑えることができる。【選択図】図１
2006077455.tif 000002
【特許請求の範囲】
【請求項１】
上階に上階中間床が設けられるとともに下階に下階中間床が設けられ、前記上階中間床と上階床との間が上階収納空間とされ、前記下階中間床と下階床との間が下階収納空間とされた建物であって、
前記上階収納空間の天井高と、前記下階収納空間の天井高とが異なっており、
前記下階中間床上に設けられた部屋の天井床と、前記上階中間床とが段差なく連続していることを特徴とする建物。
【請求項２】
請求項１に記載の建物において、
前記上階収納空間と下階収納空間とが平面視において隣接して配置されていることを特徴とする建物。
【請求項３】
請求項１または２に記載の建物において、
前記上階収納空間と下階収納空間とのうち、一方の収納空間の天井高が１．０〜１．４ｍに設定されており、他方の収納空間の天井高が０．８〜１．１ｍに設定されていることを特徴とする建物。
【請求項４】
請求項１〜３のいずれか一項に記載の建物において、前記下階中間床上に設けられた部屋は、水回り系の部屋であることを特徴とする建物。
【請求項５】
請求項４に記載の建物において、
前記下階中間床に、前記下階収納空間に開口する開口部が形成されており、この開口部に支持フレームが前記下階中間床の床面より低い位置に取付けられており、この支持フレームに浴室ユニットが設置されていることを特徴とする建物。
【発明の詳細な説明】
【技術分野】
【０００１】
本発明は、上階と下階の双方に収納空間を備えた建物に関する。
【背景技術】
【０００２】
１階と２階との双方に収納空間を備えた建物の一例として、特許文献１に記載の建物が知られている。この建物は、特定フロア（１階）と、この特定フロアの直上に位置する直上フロア（２階）を有しており、特定フロアおよび直上フロアは、それらの一部に設けられた中間床と、この中間床の下側に形成された中間床下側空間と、当該中間床の上側に形成された中間床上側空間とを備え、特定フロアの中間床上側空間の少なくとも一部と、直上フロアの中間床下側空間の少なくとも一部が連通された吹抜け空間が構成されているものである。そして、特定フロアの中間床下側空間と、直上フロアの中間床下側空間のうち、前記吹抜け空間を構成しない中間床下側空間とは、それぞれ収納空間とされている。
つまり、特定フロアである１階と、直上フロアである２階との双方にそれぞれ収納空間が設けられている。
【特許文献１】特開２００４−４４２１０号公報
【発明の開示】
【発明が解決しようとする課題】
【０００３】
ところが、上記のような建物では、１、２階の収納空間の天井高が等しいので、この天井高を比較的高くすると、これに伴って中間床の位置も高くなる。そして、この中間床上に設ける部屋の天井高を十分に確保するために、建物自体の高さが高くなり、隣地への日照や通風を確保し難くなるという問題がある。
【０００４】
本発明は上記事情に鑑みてなされたものであり、建物の高さを抑えつつ、上階と下階との双方に収納空間を設けることができる建物を提供することを課題としている。
【課題を解決するための手段】
【０００５】
上記課題を解決するために、請求項１に記載の発明は、例えば図１に示すように、上階２１に上階中間床２４が設けられるとともに下階１に下階中間床４が設けられ、前記上階中間床２４と上階床２２との間が上階収納空間２５とされ、前記下階中間床４と下階床２との間が下階収納空間５とされた建物であって、
前記上階収納空間２５の天井高ｈと、前記下階収納空間５の天井高Ｈとが異なっており、
前記下階中間床４上に設けられた部屋１５の天井床１５ａと、前記上階中間床２４とが段差なく連続していることを特徴とする。
【０００６】
ここで、前記下階中間床上に設けられた部屋の天井床と、前記上階中間床とが段差なく連続する場合、天井床と上階中間床とが隣接配置されており、直接連続することは勿論のこと、天井床と上階中間床とが、廊下、ホール、踊り場等を介して間接的に連続することも含む。
【０００７】
請求項１に記載の発明によれば、上階収納空間２５の天井高ｈと、下階収納空間５の天井高Ｈとが異なっており、下階中間床４上に設けられた部屋１５の天井床１５ａと、上階中間床２４とが段差なく連続しているので、上階収納空間２５と下階収納空間５とのうちの一方の収納空間５の天井高Ｈを高く設定し、他方の収納空間２５の天井高ｈを低く設定することができるとともに、天井床１５ａと上階中間床２４の位置を低く抑えることができる。したがって、その分建物の高さを抑えることができる。
【０００８】
請求項２に記載の発明は、請求項１に記載の建物において、
前記上階収納空間２５と下階収納空間５とが平面視において隣接して配置されていることを特徴とする。
【０００９】
請求項２に記載の発明によれば、上階収納空間２５と下階収納空間５とが平面視において隣接して配置されているので、下階中間床４上に設けられた部屋１５の天井床１５ａと、上階中間床２４とが連続することになり、よって、天井床１５ａと上階中間床２４との上に連続した大きな部屋を設けることができる。
【００１０】
請求項３に記載の発明は、請求項１または２に記載の建物において、
前記上階収納空間２５と下階収納空間５とのうち、一方の収納空間の天井高が１．０〜１．４ｍに設定されており、他方の収納空間の天井高が０．８〜１．１ｍに設定されていることを特徴とする。
【００１１】
請求項３に記載の発明によれば、両収納空間２５，５の最も低い天井高は０．８ｍであるので、大人が屈んで出入りできる高さを確保できる。また、両収納空間２５，５の最も高い天井高は１．４ｍであるので、収納容量を大きくしながら、収納空間２５，５の上方の空間を圧迫しない。したがって、両収納空間２５，５の天井高を適宜設定しながら、建物の高さを抑えることができる。
【００１２】
請求項４に記載の発明は、例えば図１および図５に示すように、請求項１〜３のいずれか一項に記載の建物において、前記下階中間床４上に設けられた部屋１５は、水回り系の部屋１５であることを特徴とする。
【００１３】
請求項４に記載の発明によれば、下階中間床４上に設けられた水回り系の部屋１５は天井高が低くてもよいので、その天井床１５ａを低くすることができる。そして、天井床１５ａと上階中間床２４とは段差なく連続しているので、その上に設ける部屋の天井高を確保しつつ建物の高さを抑えることができる。
【００１４】
請求項５に記載の発明は、例えば、図８および図９に示すように、請求項４に記載の建物において、
前記下階中間床４に、前記下階収納空間５に開口する開口部４６が形成されており、この開口部４６に支持フレーム４７が前記下階中間床４の床面より低い位置に取付けられており、この支持フレーム４７に浴室ユニット４０が設置されていることを特徴とする。
【００１５】
請求項５に記載の発明によれば、下階中間床４の開口部４６に取付けられた支持フレーム４７によって浴室ユニット４０を支持できる。そして、この浴室ユニット４０の下方は下階収納空間５であり、浴室ユニット４０の底部は支持フレーム４７を通して下階収納空間５側に露出しているので、浴室ユニット４０の配管用の作業スペースを下階収納空間５側に容易に広くとることができ、よって、配管作業が容易となる。また、支持フレーム４７が下階中間床４の床面より低い位置に取付けられており、この支持フレーム４７に浴室ユニット４０が設置されているので、浴室ユニット４０を下げることができ、その分上部にダクトスペースＳを確保できる。
【発明の効果】
【００１６】
本発明によれば、上階中間床と上階床との間に設けられたが上階収納空間とされ、前記下階中間床と下階床との間が下階収納空間とされた建物であって、
上階中間床と上階床との間に設けられた上階収納空間の天井高と、下階中間床と下階床との間に設けられた下階収納空間の天井高とが異なっており、下階中間床上に設けられた部屋の天井床と、上階中間床とが段差なく連続しているので、上階収納空間と下階収納空間とのうちの一方の収納空間の天井高を高く設定し、他方の収納空間の天井高を低く設定することができるとともに、天井床と上階中間床の位置を低く抑えることができる。したがって、その分建物の高さを抑えることができる。
【発明を実施するための最良の形態】
【００１７】
以下、図面を参照して本発明の実施の形態について説明する。
図１は本発明に係る建物の概略構成を示す断面図である。この図に示す建物は、２階建ての建物であり、１階が下階１、２階が上階２１とされている。上階２１には上階中間床２４，２４が設けられており、下階１には下階中間床４が設けられている。上階中間床２４と上階床２２との間は上階収納空間２５とされており、下階中間床４と下階床２との間は下階収納空間５とされている。
また、上階収納空間２５の天井高ｈと、下階収納空間５の天井高Ｈとは異なっており、下階収納空間５の天井高Ｈの方が、上階収納空間２５の天井高ｈより高くなっている。例えば、下階収納空間５の天井高Ｈは、１．０〜１．４ｍ程度に設定されており、上階収納空間２５の天井高ｈは０．８〜１．１ｍ程度に設定されている。
また、下階中間床５上に設けられた部屋１５の天井床１５ａと、上階中間床２２とは段差なく連続している。
なお、図１では、下階収納空間５の天井高Ｈの方が、上階収納空間２５の天井高ｈより高くなっているが、これとは逆に、上階収納空間２５の天井高ｈの方が、下階収納空間５の天井高Ｈより高くなるように構成してもよい。このようにすれば、天井床１５ａの位置を図１に示すものより、低くできるとともに、これに伴って上階中間床２４の位置も低くできる。したがって、その上の部屋の天井も低くできるので、建物の高さを低く抑えることができる。
【００１８】
次に、前記建物の詳細について、図２〜図１１を参照して説明する。
建物は、図２および図３に示すように、１階を下階１としており、この下階１を構成する下階の床を下階床２としている。下階１には、南側（図２および図３において左側）に居間３ａと食堂３ｂとが東西に隣接配置されている。
居間３ａの北側（図３において右側）には下階中間床４が設けられている。下階中間床４は、建物の北側の外壁に沿って下階床１の上側に設けられている。下階中間床４は図５に示すように、平面視において矩形状に形成に形成されており、建物の東側に若干寄せて配置されている。この下階中間床４と下階床２との間は、図３および図４に示すように、下階収納空間５とされている。この下階収納空間５の天井高は１．０ｍ〜１．４ｍ程度とされている。
【００１９】
また、下階１には、図４に示すように、下階収納空間５を挟んで玄関６と階段室７とが東西に離間して配置されており、階段室７の西側には台所８が配置されている。下階収納空間５と玄関６とを仕切る仕切壁５ａは、収納空間６側に奥まって設けられており、この仕切壁５ａの前方にある凹所には移動式の収納家具９，１０が設けられている。
また、下階収納空間５と居間３ａとを仕切る仕切壁５ｂは収納空間６側に奥まって設けられており、この仕切壁５ｂの前方にある凹所には横移動式の収納家具が複数設けられている。仕切壁５ｂには開口部が形成されており、前記収納家具はこの開口部を開閉するように横方向に仕切壁５ｂに沿って移動可能となっている。そして、この開口部から下階収納空間５内に出入りできるようになっている。
【００２０】
また、前記階段室７と下階収納空間５とは隣接配置されており、前記居間３ａは階段室７および下階収納空間５に接するように配置されている。したがって、下階床２上の居間３ａから下階収納空間５および階段室７に容易に出入りできる。
また、階段室７と台所８とを仕切る仕切壁８ａには開口部が形成され、この開口部を開閉する扉１２が取り付けられている。したがって、この扉１２を開けることによって、台所８から階段下の階段下空間７ａに出入りできるようになっている。また、前記階段下空間７ａと前記下階収納空間５とは連通しており、これによって、階段下空間７ａを下階収納空間５と連続した収納として有効利用できる。また、前記扉１２を開けることによって、台所８から階段下空間７ａを通して下階収納空間５に出入りできるようになっている。さらに、階段下空間７ａと前記食堂３ｂとを仕切る仕切壁にも開口部とこの開口部を開閉する扉１３が設けられており、この扉１３を開けることによって、食堂３ｂから階段下空間７ａに出入りできるようになっている。
【００２１】
また、前記階段室７と下階収納空間５とは、図４に示すように、建物の北側の外壁に接しており、下階床２上にある部屋（玄関６、居間３ａ、食堂３ｂ、台所８）は、階段室７と下階収納空間５を平面視において略凹字状に囲むように配置されている。したがって、このような部屋を階段室７に面する部屋（台所８、食堂３ｂ）、下階収納空間５に面する部屋（玄関６）、階段室７および下階収納空間５の双方に面する部屋（居間３ａ）に区画できる、つまり、階段室７や下階収納空間５を有効利用できるように、部屋を区画できる。
【００２２】
前記下階中間床４上には、図３に示すように、中間部屋１５が下階１の直上にある上階（２階）２１を構成する上階床２２の一部を貫通して上階（２階）２１に突出するようにして設けられている。この中間部屋１５は、下階中間床４の全面上方に設けられており、本実施の形態では、図４に示すように、浴室１６と洗面室１７とトイレ１８とによって構成されている。つまり、中間部屋１５は、台所８を除いた水回り系の部屋１５とされている。
また、上階２１には、図６に示すように、南側（図２および図３において左側）に寝室２３ａ，２３ｂが東西に隣接配置されている。寝室２３ａ，２３ｂの北側（図２および図３において右側）には上階中間床２４が設けられている。上階中間床２４は２つあり、これら上階中間床２４，２４は、中間部屋１５の天井床１５ａとほぼ高さが等しい位置に設けられている。つまり、中間部屋１５の天井床１５aと上階中間床２４，２４は段差なく連続している。
また、上階中間床２４，２４と上階床２２との間はそれぞれ上階収納空間２５，２５とされている。上階収納空間２５は前記下階収納空間５と平面視において隣接して配置されている。また、上階収納空間２５の天井高は０．８ｍ〜１．１ｍ程度とされている。
【００２３】
また、前記上階収納空間２５，２５は、図６に示すように、平面視において前記階段室７および中間部屋１５を挟むようにして、東西に離間して配置されている。したがって、上階床２２上の部屋を、一方の上階収納空間２５に面する寝室２３ａと他方の上階収納空間２５に面する寝室２３ｂとに区画でき、よって、各寝室２３ａ，２３ｂに上階収納空間２５，２５を確保できる。また、寝室２３ａと２３ｂとを仕切る仕切壁は、略Ｓ字状に配置されており、これによって、寝室２３ａから利用可能な収納部２６ａと、寝室２３ｂから利用可能な収納部２６ｂとが設けられている。
【００２４】
前記階段室７には、図２、図３等に示すように、階段２７が下階床２と上階床２２との間に設けられている。階段２７は折り返し階段であり、この階段２７の途中にある踊り場２７ａは、下階中間床４とほぼ等しい高さの位置しており、かつ、該下階中間床４と隣接している。したがって、下階中間床４に至る階段を別途設けることなく、この踊り場２７ａから中間部屋（水回り系の部屋）１５に容易に出入りできる。
また、階段室７には、階段２８が上階床２２と上階中間床２４との間に設けられている。この階段２８は直階段であり、この階段２８の上側の踊り場２８ａと、前記上階中間床２４と、中間部屋１５の天井の位置に設けられた天井床１５aとがほぼ等しい高さに位置している。
【００２５】
また、西側に位置する上階中間床２４上には、図７に示すように、子供部屋３０が設けられており、東側に位置する上階中間床２４および天井床１５ａ上には、子供部屋３０より大きい子供部屋３１が設けられている。この子供部屋３０，３１には、前記踊り場２８ａから出入りできるようになっている。
子供部屋３０，３１は、上階床２２上の寝室２３ａ，２３ｂより床の位置が高くなっており、上部は小屋裏３３に突出している。
さらに、小屋裏３３の一部には、収納所（ロフト）３４ａ，３４ｂとルーフバルコニー３５が設けられている。収納所３４ａは子供部屋３１側に開口した比較的大型のものであり、子供部屋３１から利用できるようになっている。また、収納所３４ｂは子供部屋３０側に開口した小型のものであり、子供部屋３０から利用できるようになっている。
【００２６】
また、前記階段室７には、階段３６が前記踊り場２８ａとルーフバルコニー３５との間に設けられており、この階段３６によってルーフバルコニー３５に出入りできるようになっている。ルーフバルコニー３５の床面は前記収納所３４ａ，３４ｂの床面と等しい高さとなっており、屋根の一部に開口を形成することによって、ルーフバルコニー３５の床面に人が直立できるようになっている。また、ルーフバルコニー３５と建物内部とを仕切る壁には、窓３７，３７や扉３８が設けられており、窓３７，３７から子供部屋３０，３１に採光できるようになっている。また、階段３６は扉３８に接続されている。
【００２７】
上記のような建物では、上階収納空間２５の天井高と、下階収納空間５の天井高とが異なっており、下階中間床４上に設けられた部屋（中間部屋）１５の天井床１５ａと、上階中間床２４とが段差なく連続しているので、下階収納空間５の天井高を高く設定し、上階収納空間２５の天井高を低く設定することができるとともに、天井床１５ａと上階中間床２４の位置を低く抑えることができる。したがって、その分建物の高さを抑えることができる。
また、上階収納空間２５と下階収納空間５とが平面視において隣接して配置されているので、下階中間床４上に設けられた部屋１５の天井床１５ａと、上階中間床２４とが連続することになり、よって、天井床１５ａと上階中間床２４との上に連続した大きな部屋３１を設けることができる。
【００２８】
さらに、両収納空間５，２５の最も低い天井高は０．８ｍであるので、大人が屈んで出入りできる高さを確保できる。また、両収納空間５，２５の最も高い天井高は１．４ｍであるので、収納容量を大きくしながら、収納空間５，２５の上方の空間を圧迫しない。したがって、両収納空間５，２５の天井高を適宜設定しながら、建物の高さを抑えることができる。
また、下階中間床４上に設けられた水回り系の部屋１５は天井高が低くてもよいので、その天井床１５ａを低くすることができる。そして、天井床１５ａと上階中間床２４とは段差なく連続しているので、その上に設ける部屋の天井高を確保しつつ建物の高さを抑えることができる。
【００２９】
次に、前記水回り系の部屋１５について説明する。この部屋１５は、図６に示すように、浴室１６と洗面室１７とトイレ１８とによって構成された水回り系の部屋１５となっている。
浴室１６は図８に示すように、浴室ユニット４０と、この浴室ユニット４０が設けられる部屋４１とによって構成されている。浴室ユニット４０は内部に洗い場４３と浴槽４４とを備えた略箱状に形成されており、前記洗面室１７側を向く側壁には、扉４５が取り付けられている。また、浴室ユニット４０の底部においては、浴槽４４の底部を構成する部分の方が、洗い場４３の床を構成する部分より低くなっている。つまり、浴槽４４は洗い場４３より深くなっている。
【００３０】
また、前記下階中間床４には、下階収納空間５に開口する開口部４６が形成されている。この開口部４６は下階中間床４を貫通する平面視四角形状の孔であり、その平面的な大きさは浴室ユニット４０の平面的な大きさより大きくなっている。
開口部４６には支持フレーム４７が取り付けられている。この支持フレーム４７は浴室ユニット４０が設置されるものであり、以下のように構成されている。
すなわち、図１０に示すように、支持フレーム４７は枠材４７ａ，４７ｂを矩形枠状に組み立てるとともに、この矩形枠内に、架設材４７ｃ，４７ｄを平行に架設したものである。このような支持フレーム４７の平面的な外形は、開口部４６の平面形状とほぼ等しくなっている。
前記枠材４７ａ，４７ｂは、溝形鋼によって形成されたものであり、その溝が内側を向くよにして矩形枠状に組み立てられている。なお、図１０においては枠材４７ａ，４７ｂは略して記載しており、溝形鋼の溝は記載していない。
また、架設材４７ｃ，４７ｄは、帯板状の鋼材によって形成されたものであり、３本の架設材４７ｃ・・・は、その上面を枠材４７ａ，４７ｂの上面と面一にして、枠材４７ａ，４７ａ間に平行架設されている。
また、２本の架設材４７ｄ，４７ｄは、枠材４７ａ，４７ｂより下方に突出しており、したがって、架設材４７ｄ，４７ｄの上面は、枠材４７ａ，４７ｂの上面より下方に位置している。つまり、２本の架設材４７ｄ，４７ｄは、その上面を枠材４７ａ，４７ｂの上面より下げて、枠材４７ａ，４７ａ間に平行に架設されている。
【００３１】
枠材４７ａ，４７ｂの上下の幅は、図９に示すように、下階中間床４の厚さより小さくなっている、つまり支持フレーム４７の外形枠の上下の幅は下階中間床４の厚さより小さくなっている。そして、このような支持フレーム４７は、開口部４６に、その外形枠の下面が下階中間床４の下面とほぼ面一になるようにして挿入されている。したがって、支持フレーム４７の上面は、下階中間床４の上面より下方に位置している。
支持フレーム４７の枠材４７ａ，４７ｂは開口部４６の内周面に当接されており、ビス４８によって、この内周面に固定されている。なお、図１０に示すように、開口部４６は下階中間床４の中央部ではなく、角部に形成されているため、開口部４６の内周面の一部は、壁の側面によって構成されている。
【００３２】
上記のようにして下階中間床４の開口部４６に取り付けられている支持フレーム４７には、図８および図９に示すように、浴室ユニット４０が設置されている。浴室ユニット４０のうち、洗い場４３を構成する底部４０ａは３本の架設材４７ｃ・・・によって支持されており、浴槽４４を構成する底部４０ｂは２本の架設材４７ｄ，４７ｄによって支持されている。
この状態において、浴室ユニット４０の底部４０ａ，４０ｂは下階中間床４の床面４ａより下方に位置している。このようにして浴室ユニット４０を支持フレーム４７に設置することによって、洗い場４３の床面４３ａが、下階中間床４の床面４ａとほぼ面一となっており、また、浴槽４４の底面４４ａが下階中間床４の床面４ａより下方に位置している。
【００３３】
また、下階収納空間５の上部には、防湿カバー５０が前記開口部４６を覆うようにして設けられている。すなわち、防湿カバー５０は、例えば合成樹脂等を成形することによって形成されたものであり、浴室ユニット４０の底部４０ａの下方側を覆う第１カバー部５０ａと、底部４０ｂの下方側を覆う第２カバー部５０ｂとを有している。第２カバー部５０ｂは第１カバー部５０ａより下方に位置しており、このため、第１カバー部５０ａと第２カバー部５０ｂとの間には、これらカバー部５０ａ，５０ｂを接続する接続部５０ｃが第１カバー部５０ａおよび第２カバー部５０ｂと一体的に形成されている。
このような防湿カバー５０は、支持フレーム４７の直下において、該支持フレーム４７を同時に覆うようして設けられている。防止カバー５０は平面視において略長方形状に形成されており、その一方の長辺部と短辺部には、水平フランジ部５０ｄが形成されており、他方の長辺部と短辺部とには、垂直フランジ部５０ｅが形成されている。
水平フランジ部５０ｄは、前記開口部４６の周囲の下階中間床４の下面にパッキン材５１を介して当接され、ビス５２によって固定されている。また、垂直フランジ部５０ｅは、前記開口部４６の周囲の壁面にパッキン材５１を介して当接され、ビス５２によって固定されている。
このように、防湿カバー５０によって開口部４６を覆っているので、浴室ユニット４０から発生する湿気が下階収納空間５に侵入するのを防止でき、よって、下階収納空間５を適度な湿度に保持することが容易となる。
【００３４】
また、防湿カバー５０には、二つの点検口５３ａ，５３ｂが形成されている。すなわち、第１カバー部５０ａには、点検口５３ａが形成されており、第２カバー部５０ｂには点検口５３ｂが形成されている。点検口５３ａは主に、浴室ユニット４０の底部４０ａや配管５４、点検口５３ｂは主に、浴室ユニット４０の底部４０ｂや配管５４を点検する際に使用される。また、防湿カバー５０には、点検口５３ａ，５３ｂを開閉する開閉蓋（開閉部材）５５ａ，５５ｂが着脱可能に取り付けられている。
配管５４は、浴室ユニット４０への給水や浴室ユニット４０からの排水を行うものであり、例えば、浴室ユニット４０の底部４０ａ等に一端部が接続されている。また、配管５４は下階中間床４と、防湿カバー５０との間に配管されており、他端部は防湿カバー５０の縁部を貫通して下階収納空間５に通されている。なお、下階収納空間５に通された配管５４は図示は省略するが、例えば下階収納空間５の床を貫通して基礎の内側に通されて、外部本管から枝分かれしてきた枝管に接続される。
上記のように、防湿カバー５０に点検口５３ａ，５３ｂと開閉蓋５５ａ，５５ｂを設けたので、下階収納空間５側から開閉蓋５５ａ，５５ｂを開けて、点検口５３ａ，５３ｂから浴室ユニットの底部４０ａ，４０ｂや浴室ユニット４０に接続された配管５４を容易に点検できる。
【００３５】
また、前記下階収納空間５には、図４および図８に示すように、前記配管５４を通すパイプスペースがその周囲を壁で囲まれて設けられている。この壁は建物の内側に設けられている内壁であり、例えば前記仕切壁５ａや仕切壁６０ａ，６０ｂや、パイプスペース６０の前面側に位置する仕切壁等によって構成されている。この仕切壁には、点検口６１とこの点検口６１を開閉する開閉扉（開閉部材）６２，６２が設けられている。
上記のように、配管５４を通すパイプスペース６０が壁に囲まれているので、下階収納空間５に配管５４が露出することがなく、下階収納空間５内の見映えがよくなるとともに、配管５４回りの湿気が下階収納空間５に侵入するのを防止できる。
また、下階収納空間５側から開閉扉６２，６２を開けて、点検口６１から配管５４を容易に点検できる。
【００３６】
上記のように、下階中間床４に、下階収納空間５に開口する開口部４６が形成されており、この開口部４６に支持フレーム４７が取付けられており、この支持フレーム４７に浴室ユニット４０が設置されているので、この支持フレーム４７によって浴室ユニット４０を支持できる。そして、この浴室ユニット４０の下方は下階収納空間５であり、浴室ユニット４０の底部４０ａ，４０ｂは支持フレーム４７を通して下階収納空間５側に露出しているので、浴室ユニット４０の配管用の作業スペースを下階収納空間５側に容易に広くとることができ、よって、配管作業が容易となる。
また、図８に示すように、支持フレーム４７が下階中間床４の床面より低い位置に取付けられており、この支持フレーム４７に浴室ユニット４０が設置されているので、浴室ユニット４０を下げることができ、その分上部にダクトスペースＳを確保できる。
さらに、浴室ユニット４０は、その底部４０ａ，４０ｂが下階中間床４の床面４ａより下方に位置するようにして支持フレーム４７に設置されているので、浴室ユニット４０の床面４３ａを下げて、容易に下階中間床４の床面４ａとほぼ面一にできる。これによって、浴室の床面４３ａと、それに隣接する下階中間床４上にある洗面室１７等の床面との段差を解消できる。
また、浴室ユニット４０の底部４０ａ，４０ｂが下階中間床４の床面４ａにより低くなっても、浴室ユニット４０の下方は下階収納空間５であるので、浴室ユニット４０の配管用の作業スペースを下階収納空間５側に確実に広くとることができる。
【００３７】
なお、パイプスペース６０の周囲を囲む壁は、その全てが内壁であったが、これに限ることなく、例えば、図１１に示すように、パイプスペース６０の周囲を囲む壁が、外壁６５であってもよい。この外壁６５は、下階収納空間５の内側に奥まって設けられており、これによって、下階収納空間５の一部は、外部収納空間６６となっている。この外部収納空間６６は、下階収納空間５の一部を構成するが、外壁６５によって建物の内部と仕切られており、かつ、外部に開口している。
そして、この外部収納空間６６の奥側にパイプスペース６０が設けられており、このパイプスペース６０の点検口は開閉扉６２，６２によって開閉されるようになっている。
【００３８】
このように、建物の内部と仕切られ、かつ、外部に開口する外部収納空間６６に、パイプスペース６０があるので、配管回りの湿気が建物内の下階収納空間５に入るのを確実に防止できる。また、外部収納空間６６側から浴室ユニット４０に接続された配管５４を容易に点検できる、つまり、建物内に入らなくても、外部側から配管５４を容易に点検できる。
【００３９】
なお、前記パイプスペース６０に配管５４が通されるが、この場合、配管５４が浴室ユニット４０の底部４０ａから下階中間床４の直下を外部に向けて延出されるので、この延出する部分を覆うように、前記防湿カバー５０を延出する。
また、浴室ユニット４０の設置位置を変更する場合、つまり、図５において、浴室ユニット４０を外壁に沿って配置する場合は、配管５４はそのまま下方に延出して前記パイプスペース６０に通せばよい。
【図面の簡単な説明】
【００４０】
【図１】本発明に係る建物の一例を示すもので、その概略構成を示す断面図である。
【図２】同、建物の西側の縦断面図である。
【図３】同、建物の東側の縦断面図である
【図４】図３におけるＡ−Ａ線視断面図である。
【図５】図３におけるＢ−Ｂ線視断面図である。
【図６】図３におけるＣ−Ｃ線視断面図である。
【図７】図３におけるＤ−Ｄ線視断面図である。
【図８】本発明に係る建物の一例を示すもので、浴室ユニットの設置構造の縦断面図である。
【図９】同、要部の縦断面図である。
【図１０】同、浴室ユニットを支持する支持フレームを中間床とともに示す概略斜視図である。
【図１１】同、浴室ユニットの設置構造の他の例を示すもので、収納空間を示す平面図である。
【符号の説明】
【００４１】
１  下階
２  下階床
４  下階中間床
５  下階収納空間
１５  部屋（水回り系の部屋）
１５ａ  天井床
２１  上階
２２  上階床
２４  上階中間床
２５  上階収納空間
４０  浴室ユニット
４６  開口部
４７  支持フレーム
【図１】
2006077455.tif 000003
【図２】
2006077455.tif 000004
【図３】
2006077455.tif 000005
【図４】
2006077455.tif 000006
【図５】
2006077455.tif 000007
【図６】
2006077455.tif 000008
【図７】
2006077455.tif 000009
【図８】
2006077455.tif 000010
【図９】
2006077455.tif 000011
【図１０】
2006077455.tif 000012
【図１１】
2006077455.tif 000013